(57)【要約】【課題】放熱性の向上と電磁ノイズの遮蔽性の向上とが可能な光トランシーバを提供すること。【解決手段】光トランシーバ１ａの光送信サブアセンブリ６１はスリーブ部６ａと筐体６ｂと弾性体部７１とを有する。光半導体素子６ｃと光半導体素子６ｃに接続された電子回路とを格納する格納する筐体６ｂが弾性体部７１を介して光トランシーバ１ａの筐体２と電気的に接続されているので、筐体６ｂから発生する電磁ノイズが光トランシーバ１の外部に漏洩し周囲の機器に影響を及ぼさないようにすること、及び、周囲の機器からの電磁ノイズによって筐体６ｂの内部の電子回路の微弱電流が影響を受けないようにすることができ、電磁ノイズが十分に遮蔽できる。更に、弾性体部７１は、筐体６ｂに直接に接触しており、筐体６ｂは、弾性体部７１に熱的に接続されるので、筐体６ｂの熱を、弾性体部７１を介して、十分に低減できる。【選択図】図１
2013200494.tif 000002
【特許請求の範囲】
【請求項１】
レセプタクル部と光サブアセンブリと第１の筐体とを備え、光信号を送受する光トランシーバであって、
前記レセプタクル部は、光ファイバを保持する外部の光コネクタを受容し、
前記光サブアセンブリは、前記レセプタクル部に保持され、
前記第１の筐体は、前記光サブアセンブリを格納し、
前記第１の筐体の材料は、金属を含み、
前記光サブアセンブリは、スリーブ部と第２の筐体と第１の弾性体部とを有し、
前記スリーブ部は、前記レセプタクル部に受容されている前記光コネクタと前記第２の筐体とに接続され、
前記第２の筐体は、光半導体素子を格納し、
前記第２の筐体の材料は、金属を含み、
前記光半導体素子は、前記第２の筐体の内部において固定され、
前記光半導体素子と、前記光コネクタによって保持された前記光ファイバの端面とは、前記スリーブ部を介して光学的に結合され、
前記第１の弾性体部は、第１の部分と第２の部分と第３の部分とから成り、前記第１の部分と前記第２の部分と前記第３の部分とによって蛇腹状に構成されたばね構造を有し、前記第１の筐体と前記第２の筐体との間に形成されている第１の隙間領域に設けられ、
前記第１の隙間領域は、前記第１の筐体の第１の壁部と、前記第１の壁部に面している前記第２の筐体の第２の壁部とによって画定され、
前記第１の部分と前記第２の部分と前記第３の部分とは、前記第２の壁部から前記第１の壁部に向かって、順に配置され、
前記第１の部分は、前記第２の壁部に直接に接触し、
前記第３の部分は、前記第１の壁部に直接に接触し、
前記第１の弾性体部の材料は、金属であり、
前記第１の弾性体部と前記第２の筐体とは、電気的に接続され、
前記第１の弾性体部と前記第１の壁部とは、電気的に接続されている、
光トランシーバ。
【請求項２】
前記第３の部分は、前記第１の壁部に沿って延びており、前記第１の壁部に向かって盛り上がるように湾曲した形状を有している、
ことを特徴とする請求項１に記載の光トランシーバ。
【請求項３】
前記第１の弾性体部は、一枚の第１の板金が複数に折り重ねられた構成を有する、
ことを特徴とする請求項１又は請求項２に記載の光トランシーバ。
【請求項４】
前記第１の板金には、複数に折り重ねられることによって形成された複数の屈曲部が設けられ、
前記複数の屈曲部に含まれている少なくとも一つの屈曲部には、スリット状の孔部が設けられている、
ことを特徴とする請求項３に記載の光トランシーバ。
【請求項５】
前記第１の弾性体部は、前記第２の壁部に交差する基準軸の方向に隣接し前記屈曲部を介して接続されている二つの部分を有しており、当該二つの部分の一方は、当該二つの部分の他方に向けて突出し当該他方に接触しているタブ部を有し、当該二つの部分は、当該タブ部を介して電気的及び熱的に接続している、
ことを特徴とする請求項４に記載の光トランシーバ。
【請求項６】
前記光サブアセンブリは、第２の弾性体部と接続部とを更に有し、
前記第２の弾性体部は、第４の部分と第５の部分と第６の部分とから成り、前記第４の部分と前記第５の部分と前記第６の部分とによって蛇腹状に構成されたばね構造を有し、前記第１の筐体と前記第２の筐体との間に形成されており前記第１の隙間領域の反対側にある第２の隙間領域に設けられ、
前記第２の隙間領域は、前記第１の壁部の反対側にある前記第１の筐体の第３の壁部と、前記第２の壁部の反対側にある前記第２の筐体の第４の壁部とによって画定され、
前記第４の部分と前記第５の部分と前記第６の部分とは、前記第４の壁部から前記第３の壁部に向かって、順に配置され、
前記第４の部分は、前記第４の壁部に直接に接触し、前記第３の壁部に直接に接触し、
前記第２の弾性体部の材料は、前記第１の弾性体部の材料と同じであり、
前記第１の弾性体部には、前記第２の壁部を前記第１の壁部から離隔させる向きに弾性力が生じており、
前記第２の弾性体部には、前記第４の壁部を前記第３の壁部から離隔させる向きに弾性力が生じており、
前記接続部は、前記第１の弾性体部と前記第２の弾性体部とに接続され、
前記第１の弾性体部と前記接続部と前記第２の弾性体部とは、前記第１の壁部から前記第３の壁部に向かって、この順に配置されており、
前記接続部は、前記第２の筐体の第５の壁部の表面上に配置され、前記第５の壁部に沿って延びており、
前記第５の壁部は、前記第２の壁部と前記第４の壁部とに接続され、前記第２の壁部と前記第４の壁部との間において前記第２の壁部に交差する基準軸に沿って延びており、
前記第２の弾性体部と前記第２の筐体とは、電気的に接続され、
前記第２の弾性体部と前記第３の壁部とは、電気的に接続されている、
ことを特徴とする請求項１に記載の光トランシーバ。
【請求項７】
前記第５の壁部の前記表面上には、前記スリーブ部が突出して設けられ、
前記接続部は、開口部を有し、
前記開口部には、前記スリーブ部が挿入されている、
ことを特徴とする請求項６に記載の光トランシーバ。
【請求項８】
前記第３の部分は、前記第１の壁部に沿って延びており、前記第１の壁部に向かって盛り上がるように湾曲した形状を有し、
前記第６の部分は、前記第３の壁部に沿って延びており、前記第３の壁部に向かって盛り上がるように湾曲した形状を有する、
ことを特徴とする請求項６又は請求項７に記載の光トランシーバ。
【請求項９】
前記第１の弾性体部と前記接続部と前記第２の弾性体部とは、一体に構成されており、一枚の第２の板金が複数に折り重ねられた構成を有する、
ことを特徴とする請求項６〜８の何れか一項に記載の光トランシーバ。
【請求項１０】
前記第２の板金には、複数に折り重ねられることによって形成された複数の屈曲部が設けられ、
前記複数の屈曲部に含まれている少なくとも一つの屈曲部には、スリット状の孔部が設けられている、
ことを特徴とする請求項９に記載の光トランシーバ。
【請求項１１】
前記第１の弾性体部及び前記第２の弾性体部の少なくとも一方は、前記基準軸の方向に隣接し前記屈曲部を介して接続されている二つの部分を有しており、当該二つの部分の一方は、当該二つの部分の他方に向けて突出し当該他方に接触しているタブ部を有し、当該二つの部分は、当該タブ部を介して電気的及び熱的に接続している、
ことを特徴とする請求項１０に記載の光トランシーバ。
【請求項１２】
前記第１の部分は、第１の端部と、前記第１の端部の反対側にある第２の端部とを有し、
前記第４の部分は、第３の端部と、前記第３の端部の反対側にある第４の端部とを有し、
前記第２の端部と前記第４の端部とは、前記接続部に接続され、
前記第１の弾性体部と前記第２の弾性体部との間に前記第２の筐体が配置されていない状態における前記第１の端部と前記第３の端部との間の長さは、前記第２の筐体の前記第２の壁部の表面と当該表面の反対側にある前記第２の筐体の前記第４の壁部の表面との間の長さよりも短い、
ことを特徴とする請求項６〜請求項１１の何れか一項に記載の光トランシーバ。
【発明の詳細な説明】
【技術分野】
【０００１】
本発明は、光トランシーバに関する。
【背景技術】
【０００２】
特許文献１には、電子部品を搭載したプリント配線板を金属筐体に収納するモジュールにおいて、このモジュールに搭載される電子部品の効率的な放熱を行うための技術が開示されている。特許文献１に記載のばねは、モジュールの回路機能部であるプリント基板に搭載される電子部品の上面に接着剤等で取り付けられている。ばねは、ケースとカバーとによって筐体を形成する場合にカバーにより押し縮められる。ばねの最上部は、カバーの裏面と接触している。
【先行技術文献】
【特許文献】
【０００３】
【特許文献１】実開平０７−２２５９４号公報
【発明の概要】
【発明が解決しようとする課題】
【０００４】
特許文献１の場合、ばねは接着剤を介して電子部品の上面に取り付けられているが、接着剤は、電気伝導性や熱伝導性が比較的に低い。従って、電子部品部に生じた熱の多くは、電子部品の上面とばねとが熱伝導性の比較的に低い接着材で接続されているので、ばねを介して筐体に伝わらない。光トランシーバの場合、伝送速度を上げるために電子回路の動作周波数を高くするほどレーザダイオード等の電子部品から多くの熱が発せられるので、電子回路から発せられる熱が十分に低減されることが望まれる。
【０００５】
また、電子部品の上面とばねとは電気伝導性の比較的に低い接着材で接続されているので、電磁ノイズの遮蔽が十分になされない可能性がある。光トランシーバの場合、複数の光トランシーバが光伝送装置に密集して収容された状態で使用されるので、電子回路から発生する電磁ノイズが光トランシーバの周囲に漏洩し周囲にある別の光トランシーバ等の機器に影響を及ぼさないようにすること、及び、周囲にある光トランシーバ等の機器からの電磁ノイズによって電子回路の微弱電流が影響を受けないようにすること等が望まれる。
【０００６】
そこで、本発明の目的は、上記の事項を鑑みてなされたものであり、放熱性の向上と電磁ノイズの遮蔽性の向上とが可能な光トランシーバを提供することである。
【課題を解決するための手段】
【０００７】
本発明に係る光トランシーバは、レセプタクル部と光サブアセンブリと第１の筐体とを備え、光信号を送受する。前記レセプタクル部は、光ファイバを保持する外部の光コネクタを受容し、前記光サブアセンブリは、前記レセプタクル部に保持され、前記第１の筐体は、前記光サブアセンブリを格納し、前記第１の筐体の材料は、金属を含み、前記光サブアセンブリは、スリーブ部と第２の筐体と第１の弾性体部とを有し、前記スリーブ部は、前記レセプタクル部に受容されている前記光コネクタと前記第２の筐体とに接続され、前記第２の筐体は、光半導体素子を格納し、前記第２の筐体の材料は、金属を含み、前記光半導体素子は、前記第２の筐体の内部において固定され、前記光半導体素子と、前記光コネクタによって保持された前記光ファイバの端面とは、前記スリーブ部を介して光学的に結合され、前記第１の弾性体部は、第１の部分と第２の部分と第３の部分とから成り、前記第１の部分と前記第２の部分と前記第３の部分とによって蛇腹状に構成されたばね構造を有し、前記第１の筐体と前記第２の筐体との間に形成されている第１の隙間領域に設けられ、前記第１の隙間領域は、前記第１の筐体の第１の壁部と、前記第１の壁部に面している前記第２の筐体の第２の壁部とによって画定され、前記第１の部分と前記第２の部分と前記第３の部分とは、前記第２の壁部から前記第１の壁部に向かって、順に配置され、前記第１の部分は、前記第２の壁部に直接に接触し、前記第３の部分は、前記第１の壁部に直接に接触し、前記第１の弾性体部の材料は、金属であり、前記第１の弾性体部と前記第２の筐体とは、電気的に接続され、前記第１の弾性体部と前記第１の壁部とは、電気的に接続されている。
【０００８】
本発明に係る光トランシーバによれば、光半導体素子を格納する第２の筐体が第１の弾性体部を介して光トランシーバの第１の筐体と電気的に接続されているので、第２の筐体から発生する電磁ノイズが光トランシーバの外部に漏洩し周囲の機器に影響を及ぼさないようにすること、及び、周囲の機器からの電磁ノイズによって第２の筐体の内部の電子回路の微弱電流が影響を受けないようにすることが可能となり、電磁ノイズが十分に遮蔽できる。
【０００９】
本発明に係る光トランシーバによれば、第１の弾性体部は、第２の筐体に直接に接触しており、第２の筐体は第１の弾性体部と熱的に接続されるので、第２の筐体の熱を第１の弾性体部を介して十分に低減できる。
【００１０】
本発明に係る光トランシーバでは、前記第３の部分は、前記第１の壁部に沿って延びており、前記第１の壁部に向かって盛り上がるように湾曲した形状を有する、ことが好ましい。従って、第１の弾性体部の第３の部分は、第３の部分が接触する第１の壁部に向かって盛り上がるように湾曲した形状を有するので、第３の部分の当該盛り上がっている箇所と第１の壁部との間に生じる摩擦力が、第３の部分が平坦な形状を有している場合に比較して、強くなる。よって、第１の弾性体部は、第１の壁部を有する第１の筐体の内部において、安定に保持される。
【００１１】
本発明に係る光トランシーバでは、前記第１の弾性体部は、一枚の第１の板金が複数に折り重ねられた構成を有する、ことが好ましい。従って、複数の部品を用いる場合に比較して、部品のコストと部品を組み立てるためのコストとを低減できる。
【００１２】
本発明に係る光トランシーバでは、前記第１の板金には、複数に折り重ねられることによって形成された複数の屈曲部が設けられ、前記複数の屈曲部に含まれている少なくとも一つの屈曲部には、スリット状の孔部が設けられている、ことが好ましい。このように、スリット状の孔部によって、ばね係数の調整が可能となるので、第２の筐体に対する押圧力の調整が可能となる。
【００１３】
本発明に係る光トランシーバでは、前記第１の弾性体部は、前記第２の壁部に交差する基準軸の方向に隣接し前記屈曲部を介して接続されている二つの部分を有しており、当該二つの部分の一方は、当該二つの部分の他方に向けて突出し当該他方に接触しているタブ部を有し、当該二つの部分は、当該タブ部を介して電気的及び熱的に接続している、ことが好ましい。このように、第２の壁部に交差する基準軸に隣接し屈曲部を介して接続されている二つの部分は、タブ部を介して電気的及び熱的に接続されているので、弾性体部が蛇腹状の形状であっても、タブ部が設けられていない場合に比較して、電気の伝導路と熱の伝導路とがショートカットされて短縮される。したがって、タブ部によって、電気伝導性と熱伝導性とが向上される。
【００１４】
本発明に係る光トランシーバでは、前記光サブアセンブリは、第２の弾性体部と接続部とを更に有し、前記第２の弾性体部は、第４の部分と第５の部分と第６の部分とから成り、前記第４の部分と前記第５の部分と前記第６の部分とによって蛇腹状に構成されたばね構造を有し、前記第１の筐体と前記第２の筐体との間に形成されており前記第１の隙間領域の反対側にある第２の隙間領域に設けられ、前記第２の隙間領域は、前記第１の壁部の反対側にある前記第１の筐体の第３の壁部と、前記第２の壁部の反対側にある前記第２の筐体の第４の壁部とによって画定され、前記第４の部分と前記第５の部分と前記第６の部分とは、前記第４の壁部から前記第３の壁部に向かって、順に配置され、前記第４の部分は、前記第４の壁部に直接に接触し、前記第３の壁部に直接に接触し、前記第２の弾性体部の材料は、前記第１の弾性体部の材料と同じであり、前記第１の弾性体部には、前記第２の壁部を前記第１の壁部から離隔させる向きに弾性力が生じており、前記第２の弾性体部には、前記第４の壁部を前記第３の壁部から離隔させる向きに弾性力が生じており、前記接続部は、前記第１の弾性体部と前記第２の弾性体部とに接続され、前記第１の弾性体部と前記接続部と前記第２の弾性体部とは、前記第１の壁部から前記第３の壁部に向かって、この順に配置されており、前記接続部は、前記第２の筐体の第５の壁部の表面上に配置され、前記第５の壁部に沿って延びており、前記第５の壁部は、前記第２の壁部と前記第４の壁部とに接続され、前記第２の壁部と前記第４の壁部との間において前記第２の壁部に交差する基準軸に沿って延びており、前記第２の弾性体部と前記第２の筐体とは、電気的に接続され、前記第２の弾性体部と前記第３の壁部とは、電気的に接続されている、ことが好ましい。
【００１５】
本発明に係る光トランシーバによれば、光半導体素子を格納する第２の筐体が第１の弾性体部と第２の弾性体部とを介して光トランシーバの第１の筐体と電気的に接続されているので、第２の筐体から発生する電磁ノイズが光トランシーバの外部に漏洩し周囲の機器に影響を及ぼさないようにすること、及び、周囲の機器からの電磁ノイズによって第２の筐体の内部の電子回路の微弱電流が影響を受けないようにすることが可能となり、電磁ノイズが十分に遮蔽できる。
【００１６】
本発明に係る光トランシーバによれば、第１の弾性体部と第２の弾性体部とは、共に、第２の筐体に直接に接触しており、第２の筐体は、第１の弾性体部と第２の弾性体部とに熱的に接続されるので、第２の筐体の熱を第１の弾性体部と第２の弾性体部とを介して十分に低減できる。
【００１７】
本発明に係る光トランシーバによれば、第１の弾性体部が第１の筐体と第２の筐体との間の第１の隙間領域に設けられ、第２の弾性体部が、第１の筐体と第２の筐体との間であって第１の隙間領域の反対側にある第２の隙間領域に設けられており、第１の弾性体部による押圧力と、この押圧力とは反対向きの第２の弾性体部による押圧力とによって、第２の筐体が第１の筐体の内部において保持されるので、第１の弾性体部と第２の弾性体部とによって、光半導体素子を格納する第２の筐体の位置を、光トランシーバの第１の筐体の内部において安定に保持できる。
【００１８】
本発明に係る光トランシーバでは、前記第５の壁部の前記表面上には、前記スリーブ部が突出して設けられ、前記接続部は、開口部を有し、前記開口部には、前記スリーブ部が挿入されている、ことが好ましい。このように、スリーブ部が開口部に挿入されているので、接続部と、接続部に接続されている第１の弾性体部と第２の弾性体部とが、スリーブ部の接続されている第２の筐体から衝撃等によって大きく外れるようなことがなくなる。
【００１９】
本発明に係る光トランシーバでは、前記第３の部分は、前記第１の壁部に沿って延びており、前記第１の壁部に向かって盛り上がるように湾曲した形状を有し、前記第６の部分は、前記第３の壁部に沿って延びており、前記第３の壁部に向かって盛り上がるように湾曲した形状を有する、ことが好ましい。従って、第１の弾性体部の第３の部分は、第３の部分が接触する第１の壁部に向かって盛り上がるように湾曲した形状を有し、第２の弾性体部の第６の部分は、第６の部分が接触する第３の壁部に向かって盛り上がるように湾曲した形状を有するので、第３の部分の当該盛り上がっている箇所と第１の壁部との間に生じる摩擦力と、第６の部分の当該盛り上がっている箇所と第３の壁部との間に生じる摩擦力とが、第３の部分と第６の部分とが平坦な形状を有している場合に比較して、強くなる。よって、第１の弾性体部と第２の弾性体部とは、第１の壁部と第３の壁部とを有する第１の筐体の内部において、安定に保持される。
【００２０】
本発明に係る光トランシーバでは、前記第１の弾性体部と前記接続部と前記第２の弾性体部とは、一体に構成されており、一枚の第２の板金が複数に折り重ねられた構成を有する、ことが好ましい。従って、複数の部品を用いる場合に比較して、部品のコストと部品を組み立てるためのコストとを低減できる。
【００２１】
本発明に係る光トランシーバでは、前記第２の板金には、複数に折り重ねられることによって形成された複数の屈曲部が設けられ、前記複数の屈曲部に含まれている少なくとも一つの屈曲部には、スリット状の孔部が設けられている、ことが好ましい。このように、スリット状の孔部によって、ばね係数の調整が可能となるので、第２の筐体に対する押圧力の調整が可能となる。
【００２２】
本発明に係る光トランシーバでは、前記第１の弾性体部及び前記第２の弾性体部の少なくとも一方は、前記基準軸の方向に隣接し前記屈曲部を介して接続されている二つの部分を有しており、当該二つの部分の一方は、当該二つの部分の他方に向けて突出し当該他方に接触しているタブ部を有し、当該二つの部分は、当該タブ部を介して電気的及び熱的に接続している、ことが好ましい。このように、第２の壁部に交差する基準軸に隣接し屈曲部を介して接続されている二つの部分は、タブ部を介して電気的及び熱的に接続されているので、弾性体部が蛇腹状の形状であっても、タブ部が設けられていない場合に比較して、電気の伝導路と熱の伝導路とがショートカットされて短縮される。したがって、タブ部によって、電気伝導性と熱伝導性とが向上される。
【００２３】
本発明に係る光トランシーバでは、前記第１の部分は、第１の端部と、前記第１の端部の反対側にある第２の端部とを有し、前記第４の部分は、第３の端部と、前記第３の端部の反対側にある第４の端部とを有し、前記第２の端部と前記第４の端部とは、前記接続部に接続され、前記第１の弾性体部と前記第２の弾性体部との間に前記第２の筐体が配置されていない状態における前記第１の端部と前記第３の端部との間の長さは、前記第２の筐体の前記第２の壁部の表面と当該表面の反対側にある前記第２の筐体の前記第４の壁部の表面との間の長さよりも短い、ことが好ましい。従って、第１の弾性体部と接続部と第２の弾性体部とが、一つのクリップを構成し、クリップの機能を発揮することによって、第２の筐体が第１の弾性体部の第１の端部と第２の弾性体部の第３の端部とによって挟まれるので、第２の筐体が、第１の弾性体部と第２の弾性体部との間に確実に保持される。
【発明の効果】
【００２４】
本発明によれば、放熱性の向上と電磁ノイズの遮蔽性の向上とが可能な光トランシーバを提供できる。
【図面の簡単な説明】
【００２５】
【図１】図１は、第１の実施形態に係る光トランシーバの外観を示す図である。
【図２】図２は、図１のＩ−Ｉ線に沿ってとられた第１の実施形態に係る光トランシーバの断面の様子を示す図である。
【図３】図３は、第１の実施形態に係る光送信サブアセンブリと弾性体部等との構成を示す図である。
【図４】図４は、第１の実施形態に係る弾性体部等のより詳細な構成を説明するための図である。
【図５】図５は、第１の実施形態の変形例に係る弾性体部等の構成を示す図である。
【図６】図６は、第１の実施形態の変形例に係る弾性体部等の構成を示す図である。
【図７】図７は、図１のＩ−Ｉ線に沿ってとられた第２の実施形態に係る光トランシーバの断面の様子を示す図である。
【図８】図８は、第２の実施形態に係る光送信サブアセンブリと弾性体部等との構成を示す図である。
【図９】図９は、第２の実施形態の変形例に係る弾性体部の構成を示す図である。
【発明を実施するための形態】
【００２６】
以下、図面を参照して、本発明に係る好適な実施形態について詳細に説明する。なお、図面の説明において、可能な場合には、同一要素には同一符号を付し、重複する説明を省略する。
【００２７】
（第１の実施形態）
図１〜図４を参照して、第１の実施形態に係る光トランシーバ１の構成を説明する。図１は、第１の実施形態に係る光トランシーバの外観を示し、図２は、図１のＩ−Ｉ線に沿ってとられた（ベクトルＶｅの方向から見た）第１の実施形態に係る光トランシーバの断面の様子を示し、図３は、第１の実施形態に係る光送信サブアセンブリと弾性体部等との構成を示す。図４は、第１の実施形態に係る弾性体部等のより詳細な構成を説明するための図である。
【００２８】
光トランシーバ１は、筐体２とレセプタクル部３とシールド部材５とを備え、光信号を送受する。筐体２は、図２等に示す光送信サブアセンブリ６等の光サブアセンブリと、この光サブアセンブリに接続される図２等に示す電子回路基板８等とを格納する。
【００２９】
光サブアセンブリは、光信号を送信する光送信サブアセンブリと、光信号を受信し図２等に示す光送信サブアセンブリ６とを有する。第１の実施形態では、光送信サブアセンブリとして光送信サブアセンブリ６が記載されているが、説明を簡単にするため、光受信サブアセンブリについては記載されていない。筐体２の材料は、導電性を有する金属を含む。筐体２の内側の表面（少なくとも、弾性体部７１に接する壁部Ｅ３の内側の表面と、弾性体部７３に接する壁部Ｅ４の内側の表面）には、この金属が露出している。筐体２は、一例として、直方体の形状を有する。光送信サブアセンブリ６を含む光サブアセンブリは、レセプタクル部３に保持される。
【００３０】
レセプタクル部３は、光ファイバを保持する外部の光コネクタ４を受容する。図１には、説明を簡単にするため、レセプタクル部３には、一つの光コネクタ４のみが受容されている様子が記載されているが、レセプタクル部３は、二つの光コネクタ４（送信用の光コネクタ４と受信用の光コネクタ）を受容可能である。
【００３１】
シールド部材５は、レセプタクル部３の側にある筐体２の端部に設けられており、この端部を取り巻くように設けられている。シールド部材５は、導電性を有する金属から成る。シールド部材５は、複数のタブ部を有する。シールド部材５の複数のタブ部は、筐体２の表面から広がるように設けられている。シールド部材５の複数のタブ部は、光トランシーバ１が光伝送装置に実装される場合に、光伝送装置のケージの内側、又は、光伝送装置の筐体（フロントパネルの開口部）と接触して電気的に接続（フレームグランド）されるので、光トランシーバ１の筐体２の電位が安定となり、また、光トランシーバ１とケージとの隙間が電磁的に遮蔽される。
【００３２】
光送信サブアセンブリ６は、スリーブ部６ａと筐体６ｂと弾性体部７１と接続部７２と弾性体部７３とを有する。弾性体部７１と接続部７２と弾性体部７３とは、一体に構成されており、一枚の板金７が複数に折り重ねられた構成を有する。
【００３３】
スリーブ部６ａは、レセプタクル部３に受容されている光コネクタ４と筐体６ｂとに接続されている。
【００３４】
筐体６ｂは、壁部６ｂ１と壁部６ｂ２と壁部６ｂ３とを有する。筐体６ｂは、光半導体素子６ｃと、光半導体素子６ｃに接続された電子回路とを格納する。筐体６ｂの材料は、導電性を有する金属を含む。筐体６ｂの外側の表面（少なくとも、弾性体部７１に接する表面と弾性体部７３に接する表面）には、この金属が露出している。筐体６ｂは、一例として、直方体の形状を有する。
【００３５】
光半導体素子６ｃは、レーザダイオードを含む。光半導体素子６ｃと、光コネクタ４によって保持された光ファイバの図示しない端面とは、スリーブ部６ａを介して光学的に結合されている。光半導体素子６ｃは、筐体６ｂの内部において固定されている。筐体６ｂは、光軸の調整後に、筐体２の内部において固定されている。
【００３６】
弾性体部７１は、部分７１ａと部分７１ｂと部分７１ｃとから成る。部分７１ａは、屈曲部７１ｄを有する。屈曲部７１ｄは、部分７１ａの一端に設けられている。部分７１ｂは、屈曲部７１ｅを有する。屈曲部７１ｅは、部分７１ｂの一端に設けられている。部分７１ｃは、屈曲部７１ｆを有する。屈曲部７１ｆは、部分７１ｃの一端に設けられている。弾性体部７１は、部分７１ａと部分７１ｂと部分７１ｃとによって蛇腹状に構成されたばね構造を有する。弾性体部７１は、筐体２と筐体６ｂとの間に形成されている隙間領域Ｒ１に設けられている。隙間領域Ｒ１は、筐体２の壁部Ｅ３と、壁部Ｅ３に面している筐体６ｂの壁部６ｂ１とによって画定されている。弾性体部７１には、壁部６ｂ１を壁部Ｅ３から離隔させる向きに弾性力が生じている。弾性体部７１の材料は、導電性を有する金属である。弾性体部７１の表面（少なくとも、壁部Ｅ３に接する表面と壁部６ｂ１に接する表面）には、この金属が露出している。
【００３７】
屈曲部７１ｄは、接続部７２と部分７１ａとの間に設けられており、接続部７２と部分７１ａとに接続されている。屈曲部７１ｅは、部分７１ａと部分７１ｂとの間に設けられており、部分７１ａと部分７１ｂとに接続されている。屈曲部７１ｆは、部分７１ｂと部分７１ｃとの間に設けられており、部分７１ｂと部分７１ｃとに接続されている。
【００３８】
部分７１ａと部分７１ｂと部分７１ｃとは、壁部６ｂ１から壁部Ｅ３に向かって、順に配置されている。部分７１ａは、壁部６ｂ１に直接に接触している。部分７１ａは、壁部６ｂ１に沿って延びている。部分７１ｃは、壁部Ｅ３に直接に接触している。部分７１ｃは、壁部Ｅ３に沿って延びている。
【００３９】
弾性体部７３は、部分７３ａと部分７３ｂと部分７３ｃとから成る。部分７３ａは、屈曲部７３ｄを有する。屈曲部７３ｄは、部分７３ａの一端に設けられている。部分７３ｂは、屈曲部７３ｅを有する。屈曲部７３ｅは、部分７３ｂの一端に設けられている。部分７３ｃは、屈曲部７３ｆを有する。屈曲部７３ｆは、部分７３ｃの一端に設けられている。弾性体部７３は、部分７３ａと部分７３ｂと部分７３ｃとによって蛇腹状に構成されたばね構造を有する。弾性体部７３は、筐体２と筐体６ｂとの間に形成されており隙間領域Ｒ１の反対側にある隙間領域Ｒ２に設けられている。隙間領域Ｒ２は、壁部Ｅ３の反対側にある筐体２の壁部Ｅ４と、壁部６ｂ２の反対側にある筐体６ｂの壁部６ｂ２とによって画定されている。弾性体部７３には、壁部６ｂ２を壁部Ｅ４から離隔させる向きに弾性力が生じている。弾性体部７３の材料は、弾性体部７１の材料と同様であり、導電性を有する金属である。弾性体部７３の表面（少なくとも、壁部Ｅ４に接する表面と壁部６ｂ２に接する表面）には、この金属が露出している。
【００４０】
屈曲部７３ｄは、接続部７２と部分７３ａとの間に設けられており、接続部７２と部分７３ａとに接続されている。屈曲部７３ｅは、部分７３ａと部分７３ｂとの間に設けられており、部分７３ａと部分７３ｂとに接続されている。屈曲部７３ｆは、部分７３ｂと部分７３ｃとの間に設けられており、部分７３ｂと部分７３ｃとに接続されている。
【００４１】
部分７３ａと部分７３ｂと部分７３ｃとは、壁部６ｂ２から壁部Ｅ４に向かって、順に配置されている。部分７３ａは、壁部６ｂ２に直接に接触している。部分７３ａは、壁部６ｂ２に沿って延びている。部分７３ｃは、壁部Ｅ４に直接に接触している。部分７３ｃは、壁部Ｅ４に沿って延びている。
【００４２】
接続部７２は、弾性体部７１と弾性体部７３とに接続されている。弾性体部７１と接続部７２と弾性体部７３とは、壁部Ｅ３から壁部Ｅ４に向かって、この順に配置されている。接続部７２は、筐体６ｂの壁部６ｂ３の表面Ｓ１上に配置されている。壁部６ｂ３は、壁部６ｂ１に交差する基準軸Ａｘに沿って延びている。壁部６ｂ３は、壁部６ｂ１と壁部６ｂ２とを接続している。壁部６ｂ３の表面Ｓ１上には、スリーブ部６ａが突出して設けられている。接続部７２は、壁部６ｂ３に沿って延びている。接続部７２は、開口部Ｈ１を有する。開口部Ｈ１には、スリーブ部６ａが挿入されている。壁部６ｂ３は、基準軸ＡｘとベクトルＶｅとによって規定される平面に平行である。ベクトルＶｅは、基準軸Ａｘに直交し、かつ、スリーブ部６ａと筐体６ｂとが並んでいる仮想軸ＶＡｘ（例えば、光送信サブアセンブリ６の光軸）に直交している。弾性体部７１の材料と接続部７２の材料と弾性体部７３の材料とは、弾性体部７１と接続部７２と弾性体部７３とが、一枚の板金７から一体に形成されているので、同じである。
【００４３】
板金７は、部分７１ｃと部分７１ｂと部分７１ａと接続部７２と部分７３ａと部分７３ｂと部分７３ｃとから成る。板金７において、部分７１ｃと部分７１ｂと部分７１ａと接続部７２と部分７３ａと部分７３ｂと部分７３ｃとが、この順に配置されている。屈曲部７１ｄと屈曲部７１ｅと屈曲部７１ｆと屈曲部７３ｄと屈曲部７３ｅと屈曲部７３ｆとは、板金７が複数に折り重ねられることによって形成されたものである。
【００４４】
板金７に形成されたこのような複数の屈曲部の少なくとも一つには、スリット状の孔部が設けられていてもよい。図５に示す屈曲部７３ｆには、スリット状の孔部Ｈ２が設けられている。屈曲部７３ｆ以外の他の屈曲部（例えば屈曲部７１ｆ）にも、スリット状の孔部を設けることができる。
【００４５】
壁部Ｅ３と弾性体部７１とは直接に接触しており電気的に接続されている。弾性体部７１と筐体６ｂとは直接に接触しており電気的に接続されている。弾性体部７３と筐体６ｂとは直接に接触しており電気的に接続されている。弾性体部７３と壁部Ｅ４とは直接に接触しており電気的に接続されている。壁部Ｅ３と弾性体部７１と接続部７２と弾性体部７３と筐体６ｂと壁部Ｅ４とは電気的に接続されている。
【００４６】
次に、図４を参照して説明する。部分７１ｃは、部分７１ａから離隔する方向に盛り上がるように湾曲した形状を有する。換言すれば、弾性体部７１が隙間領域Ｒ１に設けられている場合には、部分７１ｃは、壁部Ｅ３に向かって盛り上がるように湾曲した形状を有する。また、部分７３ｃは、部分７３ａから離隔する方向に盛り上がるように湾曲した形状を有する。換言すれば、弾性体部７３が隙間領域Ｒ２に設けられている場合には、部分７３ｃは、壁部Ｅ４に向かって盛り上がるように湾曲した形状を有する。
【００４７】
部分７１ａは、端部Ｅ１ａと、端部Ｅ１ａの反対側の端部Ｅ１ｂとを有している。部分７３ａは、端部Ｅ２ａと、端部Ｅ２ａの反対側にある端部Ｅ２ｂとを有している。端部Ｅ１ｂと端部Ｅ２ｂとは、何れも、接続部７２に接続されている部分である。図４に示すように、筐体６ｂの壁部６ｂ１の表面（部分７１ａが接する面）と、当該表面の反対側にある筐体６ｂの壁部６ｂ２の表面（部分７３ａが接する面）との間の長さＬ１は、弾性体部７１と接続部７２との間に筐体６ｂが配置されていない状態における端部Ｅ１ａと端部Ｅ２ａとの間の長さＬ２よりも長い。また、長さＬ２は、端部Ｅ１ｂと端部Ｅ２ｂとの間の長さＬ３よりも短い。長さＬ３は、長さＬ１と、ほぼ同じである。
【００４８】
図１〜図４に示す第１の実施形態に係る光トランシーバ１の作用・効果を説明する。
【００４９】
図１〜図４に示す第１の実施形態によれば、光半導体素子６ｃと光半導体素子６ｃに接続された電子回路とを格納する筐体６ｂが弾性体部７１と弾性体部７３とを介して光トランシーバ１の筐体２と電気的に接続されているので、筐体６ｂから発生する電磁ノイズが光トランシーバ１の外部に漏洩し周囲の機器に影響を及ぼさないようにすること、及び、周囲の機器からの電磁ノイズによって筐体６ｂの内部の電子回路の微弱電流が影響を受けないようにすることが可能となり、電磁ノイズが十分に遮蔽できる。
【００５０】
図１〜図４に示す第１の実施形態によれば、弾性体部７１と弾性体部７３とは、共に、筐体６ｂに直接に接触しており、筐体６ｂは、弾性体部７１と弾性体部７３とに熱的に接続されるので、筐体６ｂの熱を弾性体部７１と弾性体部７３とを介して、十分に低減できる。
【００５１】
図１〜図４に示す第１の実施形態によれば、弾性体部７１が筐体２と筐体６ｂとの間の隙間領域Ｒ１に設けられ、弾性体部７３が、筐体２と筐体６ｂとの間であって隙間領域Ｒ１の反対側にある隙間領域Ｒ２に設けられており、弾性体部７１による押圧力と、この押圧力とは反対向きの弾性体部７３による押圧力とによって、筐体６ｂが筐体２の内部において保持されるので、弾性体部７１と弾性体部７３とによって、光半導体素子６ｃを格納する筐体６ｂの位置を、光トランシーバ１の筐体２の内部において安定に保持できる。
【００５２】
図１〜図４に示す第１の実施形態によれば、スリーブ部６ａが開口部Ｈ１に挿入されているので、接続部７２と、接続部７２に接続されている弾性体部７１と弾性体部７３とが、スリーブ部６ａの接続されている筐体６ｂから衝撃等によって大きく外れるようなことがなくなる。
【００５３】
図１〜図４に示す第１の実施形態によれば、弾性体部７１の部分７１ｃは、部分７１ｃが接触する壁部Ｅ３に向かって盛り上がるように湾曲した形状を有し、弾性体部７３の部分７３ｃは、部分７３ｃが接触する壁部Ｅ４に向かって盛り上がるように湾曲した形状を有するので、部分７１ｃの当該盛り上がっている箇所（部分７１ｃの略中央部）と壁部Ｅ３との間に生じる摩擦力と、部分７３ｃの当該盛り上がっている箇所（部分７３ｃの略中央部）と壁部Ｅ４との間に生じる摩擦力とが、部分７１ｃと部分７３ｃとが平坦な形状を有している場合に比較して、強くなる。よって、弾性体部７１と弾性体部７３とは、壁部Ｅ３と壁部Ｅ４とを有する筐体２の内部において、安定に保持される。
【００５４】
図１〜図４に示す第１の実施形態によれば、弾性体部７１と接続部７２と弾性体部７３とが一枚の板金７から構成されているので、複数の部品を用いる場合に比較して、部品のコストと部品を組み立てるためのコストとを低減できる。
【００５５】
図１〜図４に示す第１の実施形態によれば、スリット状の孔部Ｈ２によって、弾性体部７１と接続部７２と弾性体部７３とから成るばね構造の有するばね係数の調整が可能となるので、当該ばね構造による筐体６ｂに対する押圧力の調整が可能となる。
【００５６】
図１〜図４に示す第１の実施形態によれば、弾性体部７１と接続部７２と弾性体部７３とが、一つのクリップを構成し、クリップの機能を発揮することによって、筐体６ｂが弾性体部７１の端部Ｅ１ａと弾性体部７３の端部Ｅ２ａとによって挟まれるので、筐体６ｂが、弾性体部７１と弾性体部７３との間に確実に保持される。
【００５７】
（第１の実施形態の変形例）
図５及び図６に、第１の実施形態の変形例（変形例１）の構成を示す。図５及び図６は、変形例１に係る弾性体部等の構成を示す図である。図５及び図６に示す変形例１では、弾性体部７１が弾性体部７１１となっており、弾性体部７３が弾性体部７３１となっており、弾性体部７１１と接続部７２と弾性体部７３１とが一枚の板金７ａによって一体に構成されており、変形例１の構成は、これらの点を除き、第１の実施形態の構成と同様である。
【００５８】
弾性体部７１１は、弾性体部７１の部分７１ｂが部分７１ｇとなっており、弾性体部７１の部分７１ｃが部分７１ｈとなっており、タブ部Ｔｂ１，タブ部Ｔｂ２，タブ部Ｔｂ３，タブ部Ｔｂ４，タブ部Ｔｂ７，タブ部Ｔｂ８等の複数のタブ部が設けられており、これらの点を除き、弾性体部７１と同様である。弾性体部７１１は、部分７１ａと部分７１ｇと部分７１ｈとを有し、部分７１ｇは、少なくとも、タブ部Ｔｂ７，Ｔｂ８を有し、部分７１ｈは、少なくとも、タブ部Ｔｂ１，タブ部Ｔｂ２，タブ部Ｔｂ３，タブ部Ｔｂ４を有している。部分７１ｇは、更に、屈曲部７１ｅを有し、部分７１ｈは、更に、屈曲部７１ｆを有する。部分７１ａと部分７１ｇとは、基準軸Ａｘの方向に隣接している。部分７１ａと部分７１ｇとは、屈曲部７１ｅを介して接続されている。部分７１ｇが有するタブ部Ｔｂ７等は、部分７１ａに向けて突出し部分７１ａに接触している。部分７１ａと部分７１ｇとは、部分７１ｇが有するタブ部Ｔｂ７等を介して電気的及び熱的に接続している。部分７１ｇと部分７１ｈとは、基準軸Ａｘの方向に隣接している。部分７１ｇと部分７１ｈとは、屈曲部７１ｆを介して接続されている。部分７１ｈが有するタブ部Ｔｂ１等は、部分７１ｇに向けて突出し部分７１ｇに接触している。部分７１ｇと部分７１ｈとは、部分７１ｈが有するタブ部Ｔｂ１等を介して電気的及び熱的に接続している。
【００５９】
弾性体部７３１は、弾性体部７３の部分７３ｂが部分７３ｇとなっており、弾性体部７３の部分７３ｃが部分７３ｈとなっており、タブ部Ｔｂ５，Ｔｂ６，Ｔｂ９，Ｔｂ１０等の複数のタブ部が設けられており、これらの点を除き、弾性体部７３と同様である。弾性体部７３１は、部分７３ａと部分７３ｇと部分７３ｈとを有し、部分７３ｇは、少なくとも、タブ部Ｔｂ９，Ｔｂ１０を有し、部分７３ｈは、少なくとも、タブ部Ｔｂ５，Ｔｂ６を有している。部分７３ｇは、更に、屈曲部７３ｅを有し、部分７３ｈは、更に、屈曲部７３ｆを有する。部分７３ａと部分７３ｇとは、基準軸Ａｘの方向に隣接している。部分７３ａと部分７３ｇとは、屈曲部７３ｅを介して接続されている。部分７３ｇが有するタブ部Ｔｂ９等は、部分７３ａに向けて突出し部分７３ａに接触している。部分７３ａと部分７３ｇとは、部分７３ｇが有するタブ部Ｔｂ９等を介して電気的及び熱的に接続している。部分７３ｇと部分７３ｈとは、基準軸Ａｘの方向に隣接している。部分７３ｇと部分７３ｈとは、屈曲部７３ｆを介して接続されている。部分７３ｈが有するタブ部Ｔｂ５等は、部分７３ｇに向けて突出し部分７３ｇに接触している。部分７３ｇと部分７３ｈとは、部分７３ｈが有するタブ部Ｔｂ５等を介して電気的及び熱的に接続している。
【００６０】
弾性体部７１１及び弾性体部７３１が有するタブ部Ｔｂ１等及びタブ部Ｔｂ５等の複数のタブ部のそれぞれは、板金７ａに切り込みを入れ、この切り込みによって屈曲が可能となった部分を引き起こすことによって形成される。
【００６１】
次に、図５及び図６に示す変形例１に係る光トランシーバ１の作用・効果を説明する。図５及び図６に示す変形例１は、図１〜図４に示す第１の実施形態に係る光トランシーバ１が奏する作用・効果とともに、下記のような作用・効果も更に奏することができる。
【００６２】
図５及び図６に示す変形例１によれば、壁部６ｂ１に交差する基準軸Ａｘに隣接しており例えば屈曲部７１ｆを介して接続されている部分７１ｇと部分７１ｈとは、例えばタブ部Ｔｂ１を介して電気的及び熱的に接続されているので、弾性体部７１１や弾性体部７３１が蛇腹状の形状であっても、タブ部Ｔｂ１等のタブ部が設けられていない場合に比較して、電気の伝導路と熱の伝導路とがショートカットされて短縮される。したがって、タブ部Ｔｂ１等によって、電気伝導性と熱伝導性とが向上される。
【００６３】
また、弾性体部７１１は、図４に示す弾性体部７１と同様の湾曲した形状を有し同様の作用・効果を奏することができ、弾性体部７３１は、図４に示す弾性体部７３と同様の湾曲した形状を有し同様の作用・効果を奏することができる。
【００６４】
なお、図１〜図４に示す第１の実施形態の他の変形例としては、弾性体部７１と接続部７２と弾性体部７３とから成る図１〜図４に示す第１の実施形態の場合のばね構造を、弾性体部７１１と接続部７２と弾性体部７３とから成るばね構造としてもよいし、弾性体部７１と接続部７２と弾性体部７３１とから成るばね構造としてもよく、何れのばね構造を用いても、上記した図１〜図４に示す第１の実施形態に係る光トランシーバ１と同様の作用・効果が奏される。部分７１ｂと部分７１ｇとは、何れも、一枚の板状のものに限らず、屈曲部７１ｅのほかに少なくとも一つの屈曲部を更に有し、この屈曲部によって接続された少なくとも二つの板状の部分を有する構成であることができる。部分７３ｂと部分７３ｇとは、何れも、一枚の板状のものに限らず、屈曲部７３ｅのほかに少なくとも一つの屈曲部を更に有し、この屈曲部によって接続された少なくとも二つの板状の部分を有する構成であることができる。弾性体部７１と弾性体部７３との何れか一方が、図４に示すような湾曲した形状を有し、他の一方が平坦な板状の形状を有する構成であってもよいし、弾性体部７１と弾性体部７３とが共に、平坦な板状の形状を有する構成であってもよい。弾性体部７１１と弾性体部７３１との何れか一方が、図４に示すような湾曲した形状を有し、他の一方が平坦な板状の形状を有する構成であってもよいし、弾性体部７１１と弾性体部７３１とが共に、平坦な板状の形状を有する構成であってもよい。変形例１に係る光トランシーバ１は、少なくとも一つのタブ部を有していればよい。
【００６５】
（第２の実施形態）
図１、図７及び図８を参照して、第２の実施形態に係る光トランシーバ１ａの構成を説明する。図１は、第２の実施形態に係る光トランシーバの外観を示し、図７は、図１のＩ−Ｉ線に沿ってとられた（ベクトルＶｅの方向から見た）第２の実施形態に係る光トランシーバの断面の様子を示し、図８は、第２の実施形態に係る光送信サブアセンブリと弾性体部等との構成を示す。第２の実施形態に係る光トランシーバ１ａの構成と、第１の実施形態に係る光トランシーバ１の構成との差異は、光トランシーバ１の光送信サブアセンブリ６と光トランシーバ１ａの光送信サブアセンブリ６１との差異である。光送信サブアセンブリ６が有している接続部７２と弾性体部７３とを、光トランシーバ１ａの光送信サブアセンブリ６１は有していないという点と、弾性体部７１が一枚の板金７ｂから成っているという点の二点のみである。すなわち、光トランシーバ１ａは、弾性体部７１と接続部７２と弾性体部７３とのうち、弾性体部７１のみを有し、弾性体部７１は板金７ｂから成る。
【００６６】
次に、図７及び図８に示す第２の実施形態に係る光トランシーバ１ａの作用・効果を説明する。図７及び図８に示す第２の実施形態によれば、光半導体素子６ｃと光半導体素子６ｃに接続された電子回路とを格納する筐体６ｂが弾性体部７１を介して光トランシーバ１ａの筐体２と電気的に接続されているので、筐体６ｂから発生する電磁ノイズが光トランシーバ１の外部に漏洩し周囲の機器に影響を及ぼさないようにすること、及び、周囲の機器からの電磁ノイズによって筐体６ｂの内部の電子回路の微弱電流が影響を受けないようにすることが可能となり、電磁ノイズが十分に遮蔽できる。
【００６７】
図７及び図８に示す第２の実施形態によれば、弾性体部７１は、筐体６ｂに直接に接触しており、筐体６ｂは、弾性体部７１に熱的に接続されるので、筐体６ｂの熱を、弾性体部７１を介して、十分に低減できる。
【００６８】
図７及び図８に示す第２の実施形態によれば、弾性体部７１の部分７１ｃは、部分７１ｃが接触する壁部Ｅ３に向かって盛り上がるように湾曲した形状を有するので、部分７１ｃの当該盛り上がっている箇所（部分７１ｃの略中央部）と壁部Ｅ３との間に生じる摩擦力が、部分７１ｃが平坦な形状を有している場合に比較して、強くなる。よって、弾性体部７１は、壁部Ｅ３を有する筐体２の内部において、安定に保持される。
【００６９】
図７及び図８に示す第２の実施形態によれば、弾性体部７１が一枚の板金７ｂから構成されているので、複数の部品を用いる場合に比較して、部品のコストと部品を組み立てるためのコストとを低減できる。
【００７０】
なお、弾性体部７３に設けられているスリット状の孔部Ｈ２を、弾性体部７１の少なくとも一つの屈曲部（例えば屈曲部７１ｄ）に設けてもよい。この場合、スリット状の孔部Ｈ２によって、弾性体部７１から成るばね構造の有するばね係数の調整が可能となるので、当該ばね構造による筐体６ｂに対する押圧力の調整が可能となる。
【００７１】
（第２の実施形態の変形例）
図９に、第２の実施形態の変形例（変形例２）の構成を示す。図９は、変形例２に係る弾性体部の構成を示す図である。図９の（Ａ）部と（Ｂ）部とは、何れも、変形例２の弾性体部の外観を示し、（Ａ）部には、変形例２の弾性体部を斜めから見た構造が示され、（Ｂ）部には、変形例２の弾性体部をベクトルＶｅの方向から見た構造（変形例２の弾性体部の側面の側からみた構造）が示されている。図９に示す変形例２では、弾性体部７１が弾性体部７１１となっており、弾性体部７１１が一枚の板金７ｃによって構成されており、変形例２は、これらの点を除き、第２の実施形態の構成と同様である。
【００７２】
次に、図９に示す変形例２に係る光トランシーバ１ａの作用・効果を説明する。図９に示す変形例２に係る光トランシーバ１は、図７及び図８に示す第２の実施形態に係る光トランシーバ１ａが奏する作用・効果とともに、下記のような作用・効果も更に奏することができる。
【００７３】
図９に示す変形例２によれば、壁部６ｂ１に交差する基準軸Ａｘに隣接しており例えば屈曲部７１ｆを介して接続されている部分７１ｇと部分７１ｈとは、例えばタブ部Ｔｂ１を介して電気的及び熱的に接続されているので、弾性体部７１１が蛇腹状の形状であっても、タブ部Ｔｂ１等のタブ部が設けられていない場合に比較して、電気の伝導路と熱の伝導路とがショートカットされて短縮される。したがって、タブ部Ｔｂ１等によって、電気伝導性と熱伝導性とが向上される。また、弾性体部７１１は、図４に示す弾性体部７１と同様の湾曲した形状を有し同様の作用・効果を奏することができる。なお、変形例２に係る光トランシーバ１ａは、少なくとも一つのタブ部を有していればよい。
【００７４】
以上、好適な実施の形態において本発明の原理を図示し説明してきたが、本発明は、そのような原理から逸脱することなく配置および詳細において変更され得ることは、当業者によって認識される。本発明は、本実施の形態に開示された特定の構成に限定されるものではない。したがって、特許請求の範囲およびその精神の範囲から来る全ての修正および変更に権利を請求する。
【符号の説明】
【００７５】
１，１ａ…光トランシーバ、２，６ｂ…筐体、３…レセプタクル部、４…光コネクタ、５…シールド部材、６，６１…光送信サブアセンブリ、６ａ…スリーブ部、６ｂ１，６ｂ２，６ｂ３，Ｅ３，Ｅ４…壁部、６ｃ…光半導体素子、７，７ａ，７ｂ，７ｃ…板金、７１，７１１，７３，７３１…弾性体部、７１ａ，７１ｂ，７１ｇ，７１ｈ，７１ｃ，７３ａ，７３ｂ，７３ｃ，７３ｇ，７３ｈ…部分、７１ｄ，７１ｅ，７１ｆ，７３ｄ，７３ｅ，７３ｆ…屈曲部、７２…接続部、８…電子回路基板、Ａｘ…基準軸、Ｅ１ａ，Ｅ１ｂ，Ｅ２ａ，Ｅ２ｂ…端部、Ｈ１…開口部、Ｈ２…孔部、Ｌ１，Ｌ２，Ｌ３…長さ、Ｒ１，Ｒ２…隙間領域、Ｓ１…表面、Ｔｂ１，Ｔｂ１０，Ｔｂ２，Ｔｂ３，Ｔｂ４，Ｔｂ５，Ｔｂ６，Ｔｂ７，Ｔｂ８，Ｔｂ９…タブ部、Ｖｅ…ベクトル、ＶＡｘ…仮想軸。
【図２】
2013200494.tif 000003
【図３】
2013200494.tif 000004
【図４】
2013200494.tif 000005
【図５】
2013200494.tif 000006
【図６】
2013200494.tif 000007
【図７】
2013200494.tif 000008
【図８】
2013200494.tif 000009
【図９】
2013200494.tif 000010
【図１】
2013200494.tif 000011